(57)【特許請求の範囲】
【請求項１】
原稿を照明する照明系と、該原稿からの反射像を縮小結像させる結像レンズと、該結像レンズで結像された原稿像を光電変換する原稿読取用のラインセンサを有する画像読取装置における調整方法において、
原稿面の異なる位置に一定間隔の縞模様からなるパターンを複数設けた調整用チャートを配置し、
これら調整用チャートの前記パターンの反射像を前記結像レンズにより前記ラインセンサ上に結像させ、
該結像させた前記調整用チャートのパターン像のうち、特定の像高箇所のパターン像のＭＴＦが所定の上限値と下限値間の値となるように前記ラインセンサを移動させて結像レンズとの距離を変えてピントを調整する
ことを特徴とする画像読取装置の調整方法。
【請求項２】
原稿を照明する照明系と、該原稿からの反射像を縮小結像させる結像レンズと、該結像レンズで結像された原稿像を光電変換する原稿読取用のラインセンサを有する画像読取装置における調整方法において、
原稿面の異なる位置に一定間隔の縞模様からなるパターンを複数設けた調整用チャートを配置し、
これら調整用チャートの前記パターンの反射像を前記結像レンズにより前記ラインセンサ上に結像させ、
前記ラインセンサを移動させて結像レンズとの距離を変えて、少なくとも１箇所以上の像高箇所のＭＴＦの最大値を記憶し、
該結像させた前記調整用チャートのパターン像のうち、特定の像高箇所のパターン像のＭＴＦの前記ＭＴＦの最大値に対する比率を算出し、
前記特定の像高箇所の前記比率が所定の上限値と下限値間の値となるように前記ラインセンサを移動させて結像レンズとの距離を変えてピントを調整することを特徴とする画像読取装置の調整方法。
【請求項３】
請求項１または２の画像読取装置の調整方法において、前記特定の像高箇所を前記調整用チャートの中央とすることを特徴とする画像読取装置の調整方法。
【請求項４】
原稿を照明する照明系と、該原稿からの反射像を縮小結像させる結像レンズと、該結像レンズで結像された原稿像を光電変換する原稿読取用のラインセンサを有する画像読取装置における調整方法において、
原稿面の中央を含む異なる位置に一定間隔の縞模様からなるパターンを複数設けた調整用チャートを配置し、
これら調整用チャートの前記パターンの反射像を前記結像レンズにより前記ラインセンサ上に結像させ、
該結像させた前記調整用チャートの前記複数の像高箇所のＭＴＦから所定の箇所のＭＴＦの調整範囲の上限値と下限値を算出することを特徴とする画像読取装置の調整方法。
【請求項５】
原稿を照明する照明系と、該原稿からの反射像を縮小結像させる結像レンズと、該結像レンズで結像された原稿像を光電変換する原稿読取用の赤（Ｒ）、緑（Ｇ）及び青（Ｂ）の各ラインセンサからなる３ラインセンサを有する画像読取装置における調整方法において、
原稿面の異なる位置に一定間隔の縞模様からなるパターンを複数設けた調整用チャートを配置し、
これら調整用チャートの前記パターンの反射像を前記結像レンズにより前記ラインセンサ上に結像させ、
該結像させた前記調整用チャートのパターン像のうち、特定の色の特定の像高箇所のＭＴＦが所定の上限値と下限値間の値となるように前記ラインセンサを移動させて結像レンズとの距離を変えてピントを調整することを特徴とする画像読取装置の調整方法。
【請求項６】
請求項４の画像読取装置の調整方法において、前記所定の箇所を前記調整用チャートの中央とすることを特徴とする画像読取装置の調整方法。
【請求項７】
原稿を照明する照明系と、該原稿からの反射像を縮小結像させる結像レンズと、該結像レンズで結像された原稿像を光電変換する原稿読取用の赤（Ｒ）、緑（Ｇ）及び青（Ｂ）の各ラインセンサからなる３ラインセンサを有する画像読取装置における調整方法において、
原稿面の中央を含む異なる位置に一定間隔の縞模様からなるパターンを複数設けた調整用チャートを配置し、
これら調整用チャートの前記パターンの反射像を前記結像レンズにより前記ラインセンサ上に結像させ、
該結像させた前記調整用チャートの複数の像高箇所のＭＴＦから特定の色の特定の像高箇所でのＭＴＦの上限値と下限値を算出することを特徴とする画像読取装置の調整方法。
【請求項８】
原稿を照明する照明系と、該原稿からの反射像を縮小結像させる結像レンズと、該結像レンズで結像された原稿像を光電変換する原稿読取用のラインセンサを有する画像読取装置における調整装置において、
前記結像レンズで結像された原稿像のピントを調整する手段を有し、該ピントを調整する手段が、
原稿面の異なる位置に複数の調整用チャートを配置し、これら調整用チャートを前記結像レンズにより前記ラインセンサ上に結像させ、
該結像させた前記調整用チャートのパターン像のうち、特定の像高箇所のパターン像のＭＴＦが所定の上限値と下限値間の値となるように前記ラインセンサを移動させて結像レンズとの距離を変えてピントを調整する
ことを特徴とする画像読取装置の調整装置。
【請求項９】
原稿を照明する照明系と、該原稿からの反射像を縮小結像させる結像レンズと、該結像レンズで結像された原稿像を光電変換する原稿読取用のラインセンサを有する画像読取装置における調整装置において、
前記結像レンズで結像された原稿像のピントを調整する手段を有し、該ピントを調整する手段が、
原稿面の異なる位置に一定間隔の縞模様からなるパターンを複数設けた調整用チャートを配置し、
これら調整用チャートの前記パターンの反射像を前記結像レンズにより前記ラインセンサ上に結像させ、
前記ラインセンサを移動させて結像レンズとの距離を変えて、少なくとも１箇所以上の像高箇所のＭＴＦの最大値を記憶する手段と、
該結像させた前記調整用チャートのパターン像のうち、特定の像高箇所のパターン像のＭＴＦの前記ＭＴＦ最大値に対するＭＴＦ比率を算出する手段と、
前記特定の像高箇所の前記比率が所定の上限値と下限値間の値となるように前記ラインセンサを移動させて結像レンズとの距離を変えてピントを調整する
ことを特徴とする画像読取装置の調整装置。
【請求項１０】
請求項８または９の画像読取装置の調整装置において、前記特定の像高箇所が前記調整用チャートの中央であることを特徴とする画像読取装置の調整装置。
【請求項１１】
原稿を照明する照明系と、該原稿からの反射像を縮小結像させる結像レンズと、該結像レンズで結像された原稿像を光電変換する原稿読取用のラインセンサを有する画像読取装置における調整装置において、
ＭＴＦの調整範囲の上限値と下限値を算出する手段を備え、該調整範囲の上限値と下限値を算出する手段が、
原稿面の中央を含む異なる位置に一定間隔の縞模様からなるパターンを複数設けた調整用チャートを配置し、
これら調整用チャートの前記パターンの反射像を前記結像レンズにより前記ラインセンサ上に結像させ、
該結像させた前記調整用チャートの前記複数の像高箇所のＭＴＦから所定の箇所のＭＴＦの調整範囲の上限値と下限値を算出する
ことを特徴とする画像読取装置の調整装置。
【請求項１２】
原稿を照明する照明系と、該原稿からの反射像を縮小結像させる結像レンズと、該結像レンズで結像された原稿像を光電変換する原稿読取用の赤（Ｒ）、緑（Ｇ）及び青（Ｂ）の各ラインセンサからなる３ラインセンサを有する画像読取装置における調整装置において、
前記結像レンズで結像された原稿像のピントを調整する手段を有し、該ピントを調整する手段が、
原稿面の異なる位置に一定間隔の縞模様からなるパターンを複数設けた調整用チャートを配置し、
これら調整用チャートの前記パターンの反射像を前記結像レンズにより前記ラインセンサ上に結像させ、
該結像させた前記調整用チャートのパターン像のうち、特定の色の特定の像高箇所のＭＴＦが所定の上限値と下限値間の値となるように前記ラインセンサを移動させて結像レンズとの距離を変えてピントを調整する
ことを特徴とする画像読取装置の調整装置。
【請求項１３】
請求項１１の画像読取装置の調整装置において、前記特定の像箇所が前記調整用チャートの中央であることを特徴とする画像読取装置の調整装置。
【請求項１４】
原稿を照明する照明系と、該原稿からの反射像を縮小結像させる結像レンズと、該結像レンズで結像された原稿像を光電変換する原稿読取用の赤（Ｒ）、緑（Ｇ）及び青（Ｂ）の各ラインセンサからなる３ラインセンサを有する画像読取装置における調整装置において、
ＭＴＦの調整範囲の上限値と下限値を算出する手段を備え、該調整範囲の上限値と下限値を算出する手段が、
原稿面の中央を含む異なる位置に一定間隔の縞模様からなるパターンを複数設けた調整用チャートを配置し、
これら調整用チャートの前記パターンの反射像を前記結像レンズにより前記ラインセンサ上に結像させ、
該結像させた前記調整用チャートの複数の像高箇所のＭＴＦから特定の色の特定の像高箇所でのＭＴＦの上限値と下限値を算出する
ことを特徴とする画像読取装置の調整装置。
【発明の詳細な説明】
【技術分野】
【０００１】
本発明は、画像読取装置、特にデジタル画像読取装置のレンズブロックの調整に係る方法と装置に関する。
【背景技術】
【０００２】
従来の画像読取装置の調整方法では、複数の個所のＭＴＦを見ながら、全てがある値以上になるように調整するものが多い。この方法は、調整作業者が多くの情報を把握しながら、作業することになる。また、レンズのバラツキにより、非常に狭い範囲でしか調整できない場合と、広い範囲で調整可能な場合がある。
【特許文献１】特開2004-304686号公報
【特許文献２】特許3182733号公報
【特許文献３】特開平08-111743号公報
【特許文献４】特許3409489号公報
【特許文献５】特開平09-051409号公報
【発明の開示】
【発明が解決しようとする課題】
【０００３】
上述したような複数の個所を確認しながらの調整は、作業者にとって困難であり、調整に時間がかかる。
【０００４】
そこで本発明は、特定の個所だけで調整することにより、調整効率を向上させることが可能な方法と装置を提供することを目的とする。
【０００５】
また基本的には、ＭＴＦは高い方がよいため、あるレベルを全範囲で確保できるような調整を行うケースが多いが、レンズのバラツキによっては、全ての条件を満足する範囲が狭く調整が困難であったり、逆に調整可能な範囲が大きく結果的に調整結果のバラツキが大きくなったりする。すなわち、レンズのバラツキにより、非常に狭い範囲でしか調整できない場合と、広い範囲で調整可能な場合があり、前者の場合は調整作業が困難となるし、後者の場合は、調整自体のバラツキが大きくなる欠点がある。
【０００６】
そこで本発明は、調整値をある値以上ではなく、上限値と下限値を設けることにより、調整範囲を狭くして調整バラツキを小さくすることができる方法と装置を提供することをも目的とする。
【０００７】
また調整時にＭＴＦが最大となる位置と異なる位置に調整する必要がある場合がある。例えば、装置稼動時に温度上昇でレンズ周辺の部品が熱膨張することにより、レンズとＣＣＤ間の距離が変化して、ピントがずれる場合や、レンズ自体の焦点距離が変化する場合である。このような条件を考慮すると、調整時はＭＴＦ最大の位置からずれたところで調整した方が、装置の実使用状態での性能が良くなる。このような狙いがある場合、調整値に上限値を設けずに、ある値以上になるような調整をした場合、調整時点での最良位置でしか調整ができない。
【０００８】
そこで本発明は、調整時にＭＴＦ最大の位置からずれたところでの調整を可能な方法と装置を提供することをも目的とする。
【課題を解決するための手段】
【０００９】
本発明の請求項１に係る画像読取装置の調整方法は、原稿を照明する照明系と、該原稿からの反射像を縮小結像させる結像レンズと、該結像レンズで結像された原稿像を光電変換する原稿読取用のラインセンサを有する画像読取装置における調整方法において、
原稿面の異なる位置に一定間隔の縞模様からなるパターンを複数設けた調整用チャートを配置し、
これら調整用チャートの前記パターンの反射像を前記結像レンズにより前記ラインセンサ上に結像させ、
該結像させた前記調整用チャートのパターン像のうち、特定の像高箇所のパターン像のＭＴＦが所定の上限値と下限値間の値となるように前記ラインセンサを移動させて結像レンズとの距離を変えてピントを調整する
ことを特徴とする。
【００１０】
同請求項２に係るものは、原稿を照明する照明系と、該原稿からの反射像を縮小結像させる結像レンズと、該結像レンズで結像された原稿像を光電変換する原稿読取用のラインセンサを有する画像読取装置における調整方法において、
原稿面の異なる位置に一定間隔の縞模様からなるパターンを複数設けた調整用チャートを配置し、
これら調整用チャートの前記パターンの反射像を前記結像レンズにより前記ラインセンサ上に結像させ、
前記ラインセンサを移動させて結像レンズとの距離を変えて、少なくとも１箇所以上の像高箇所のＭＴＦの最大値を記憶し、
該結像させた前記調整用チャートのパターン像のうち、特定の像高箇所のパターン像のＭＴＦの前記ＭＴＦの最大値に対する比率を算出し、
前記特定の像高箇所の前記比率が所定の上限値と下限値間の値となるように前記ラインセンサを移動させて結像レンズとの距離を変えてピントを調整することを特徴とする。
【００１１】
同請求項３に係るものは、請求項１または２の画像読取装置の調整方法において、前記特定の像高箇所を前記調整用チャートの中央とすることを特徴とする。
【００１２】
同請求項４に係るものは、原稿を照明する照明系と、該原稿からの反射像を縮小結像させる結像レンズと、該結像レンズで結像された原稿像を光電変換する原稿読取用のラインセンサを有する画像読取装置における調整方法において、
原稿面の中央を含む異なる位置に一定間隔の縞模様からなるパターンを複数設けた調整用チャートを配置し、
これら調整用チャートの前記パターンの反射像を前記結像レンズにより前記ラインセンサ上に結像させ、
該結像させた前記調整用チャートの前記複数の像高箇所のＭＴＦから所定の箇所のＭＴＦの調整範囲の上限値と下限値を算出することを特徴とする。
【００１３】
同請求項５に係るものは、原稿を照明する照明系と、該原稿からの反射像を縮小結像させる結像レンズと、該結像レンズで結像された原稿像を光電変換する原稿読取用の赤（Ｒ）、緑（Ｇ）及び青（Ｂ）の各ラインセンサからなる３ラインセンサを有する画像読取装置における調整方法において、
原稿面の異なる位置に一定間隔の縞模様からなるパターンを複数設けた調整用チャートを配置し、
これら調整用チャートの前記パターンの反射像を前記結像レンズにより前記ラインセンサ上に結像させ、
該結像させた前記調整用チャートのパターン像のうち、特定の色の特定の像高箇所のＭＴＦが所定の上限値と下限値間の値となるように前記ラインセンサを移動させて結像レンズとの距離を変えてピントを調整することを特徴とする。
【００１４】
同請求項６に係るものは、請求項４の画像読取装置の調整方法において、前記所定の箇所を前記調整用チャートの中央とすることを特徴とする。
【００１５】
同請求項７に係るものは、原稿を照明する照明系と、該原稿からの反射像を縮小結像させる結像レンズと、該結像レンズで結像された原稿像を光電変換する原稿読取用の赤（Ｒ）、緑（Ｇ）及び青（Ｂ）の各ラインセンサからなる３ラインセンサを有する画像読取装置における調整方法において、
原稿面の中央を含む異なる位置に一定間隔の縞模様からなるパターンを複数設けた調整用チャートを配置し、
これら調整用チャートの前記パターンの反射像を前記結像レンズにより前記ラインセンサ上に結像させ、
該結像させた前記調整用チャートの複数の像高箇所のＭＴＦから特定の色の特定の像高箇所でのＭＴＦの上限値と下限値を算出することを特徴とする。
【００１６】
本発明の請求項８に係る画像読取装置における調整装置は、原稿を照明する照明系と、該原稿からの反射像を縮小結像させる結像レンズと、該結像レンズで結像された原稿像を光電変換する原稿読取用のラインセンサを有する画像読取装置における調整装置において、
前記結像レンズで結像された原稿像のピントを調整する手段を有し、該ピントを調整する手段が、
原稿面の異なる位置に複数の調整用チャートを配置し、これら調整用チャートを前記結像レンズにより前記ラインセンサ上に結像させ、
該結像させた前記調整用チャートのパターン像のうち、特定の像高箇所のパターン像のＭＴＦが所定の上限値と下限値間の値となるように前記ラインセンサを移動させて結像レンズとの距離を変えてピントを調整する
ことを特徴とする。
【００１７】
同請求項９に係るものは、原稿を照明する照明系と、該原稿からの反射像を縮小結像させる結像レンズと、該結像レンズで結像された原稿像を光電変換する原稿読取用のラインセンサを有する画像読取装置における調整装置において、
前記結像レンズで結像された原稿像のピントを調整する手段を有し、該ピントを調整する手段が、
原稿面の異なる位置に一定間隔の縞模様からなるパターンを複数設けた調整用チャートを配置し、
これら調整用チャートの前記パターンの反射像を前記結像レンズにより前記ラインセンサ上に結像させ、
前記ラインセンサを移動させて結像レンズとの距離を変えて、少なくとも１箇所以上の像高箇所のＭＴＦの最大値を記憶する手段と、
該結像させた前記調整用チャートのパターン像のうち、特定の像高箇所のパターン像のＭＴＦの前記ＭＴＦ最大値に対するＭＴＦ比率を算出する手段と、
前記特定の像高箇所の前記比率が所定の上限値と下限値間の値となるように前記ラインセンサを移動させて結像レンズとの距離を変えてピントを調整する
ことを特徴とする。
【００１８】
同請求項１０に係るものは、請求項８または９の画像読取装置の調整装置において、前記特定の像高箇所が前記調整用チャートの中央であることを特徴とする。
【００１９】
同請求項１１に係るものは、原稿を照明する照明系と、該原稿からの反射像を縮小結像させる結像レンズと、該結像レンズで結像された原稿像を光電変換する原稿読取用のラインセンサを有する画像読取装置における調整装置において、
ＭＴＦの調整範囲の上限値と下限値を算出する手段を備え、該調整範囲の上限値と下限値を算出する手段が、
原稿面の中央を含む異なる位置に一定間隔の縞模様からなるパターンを複数設けた調整用チャートを配置し、
これら調整用チャートの前記パターンの反射像を前記結像レンズにより前記ラインセンサ上に結像させ、
該結像させた前記調整用チャートの前記複数の像高箇所のＭＴＦから所定の箇所のＭＴＦの調整範囲の上限値と下限値を算出する
ことを特徴とする。
【００２０】
同請求項１２に係るものは、原稿を照明する照明系と、該原稿からの反射像を縮小結像させる結像レンズと、該結像レンズで結像された原稿像を光電変換する原稿読取用の赤（Ｒ）、緑（Ｇ）及び青（Ｂ）の各ラインセンサからなる３ラインセンサを有する画像読取装置における調整装置において、
前記結像レンズで結像された原稿像のピントを調整する手段を有し、該ピントを調整する手段が、
原稿面の異なる位置に一定間隔の縞模様からなるパターンを複数設けた調整用チャートを配置し、
これら調整用チャートの前記パターンの反射像を前記結像レンズにより前記ラインセンサ上に結像させ、
該結像させた前記調整用チャートのパターン像のうち、特定の色の特定の像高箇所のＭＴＦが所定の上限値と下限値間の値となるように前記ラインセンサを移動させて結像レンズとの距離を変えてピントを調整する
ことを特徴とする。
【００２１】
同請求項１３に係るものは、請求項１１の画像読取装置の調整装置において、前記特定の像箇所が前記調整用チャートの中央であることを特徴とする。
【００２２】
同請求項１４に係るものは、原稿を照明する照明系と、該原稿からの反射像を縮小結像させる結像レンズと、該結像レンズで結像された原稿像を光電変換する原稿読取用の赤（Ｒ）、緑（Ｇ）及び青（Ｂ）の各ラインセンサからなる３ラインセンサを有する画像読取装置における調整装置において、
ＭＴＦの調整範囲の上限値と下限値を算出する手段を備え、該調整範囲の上限値と下限値を算出する手段が、
原稿面の中央を含む異なる位置に一定間隔の縞模様からなるパターンを複数設けた調整用チャートを配置し、
これら調整用チャートの前記パターンの反射像を前記結像レンズにより前記ラインセンサ上に結像させ、
該結像させた前記調整用チャートの複数の像高箇所のＭＴＦから特定の色の特定の像高箇所でのＭＴＦの上限値と下限値を算出する
ことを特徴とする。
【発明の効果】
【００２３】
本発明は、画像読取装置、特にデジタル画像読取装置のレンズブロックの調整作業時に、１箇所の値だけを注目していればよいので、作業効率がよく、また上限値と下限値の間を小さく設定すると、非常に狭い範囲でピントを調整することが可能となるという効果がある。
【発明を実施するための最良の形態】
【００２４】
以下本発明を実施するための最良の形態を、図に示す実施例を参照して説明する。
【実施例１】
【００２５】
図１は本発明の実施対象の一例であるデジタル複写機の概略構成例を示す正面断面図である。本例のデジタル複写機は、概略的には、原稿画像を読取るスキャナ（原稿読取装置）１とスキャナ１により読取られた原稿画像の情報に基づき画像形成動作を実行するプリンタエンジン２とにより構成してある。プリンタエンジン２は、例えば電子写真プロセスを利用したもので、感光体３周りに帯電装置４、露光装置５、現像装置６、転写装置７、クリーニング装置８等の電子写真プロセス部材を順に配設することにより構成してある。図中９は、転写紙１０を１枚ずつ給紙する給紙装置、１１は定着装置、１２は排紙トレイである。
【００２６】
一方、スキャナ１は、デジタル複写機上面のコンタクトガラス２１上に開閉自在に設けたＡＤＦ（原稿搬送機構）２２、スキャナ筐体内でコンタクトガラス２１下部に設けた読取光学系２３、結像レンズ２４及びＣＣＤ（撮像部材）２５等を備える構成を有する。ＡＤＦ２２は、Ｕターン状の搬送経路２６に沿って搬送する原稿を予め載置しておく原稿テーブル２７、搬送経路２６において原稿を搬送するための複数の搬送ローラ２８、搬送し終えた原稿を排紙する排紙トレイ２９等を有する。
【００２７】
図２に本実施例のピント調整装置を示す。図２において、２４はレンズ、２５はＣＣＤである。レンズ２４、ＣＣＤ２５は、図示されていないレンズブロックに固定されている。ＣＣＤ２５はレンズ２４に対して距離を変化させることができ、ある範囲内で位置を決定して、ビス止め、接着等の方法で固定することができる。
【００２８】
また図２において、１０１は調整用チャートである。調整用チャート１０１には、白と黒の一定間隔の縞模様のパターンが設けてある。間隔は、例えば、１インチ当たり、３００本〜４００本程度がよく用いられる。
【００２９】
次に、本実施例の調整方法について説明する。まず通常、倍率が合う位置にレンズ２４を固定し、ＣＣＤ２５の面を移動させてピント調整を行う。ＣＣＤ２５の面の移動は、調整装置に組み込まれたマイクロメータ等の手段で行ってもよいし、作業者が手で移動させてもよい。
【００３０】
図３に具体的な調整方法を示す。ＭＴＦ値は、ＣＣＤ２５からの出力信号を画像処理装置で処理して図示しないディスプレイ上に表示するようになっており、調整作業者はその値を見ながら調整するものとする。
【００３１】
本実施例では、原稿面の異なる位置に配置した複数の調整用チャート１０１を読み取ったうちの特定の個所のＭＴＦが定められた上限値と下限値の間になるように調整作業を行う。この方法では、１箇所の値だけを注目していればいいので、作業効率がよい。また、上限値と下限値の間を小さく設定すると、非常に狭い範囲に調整することが可能となる。
【００３２】
レンズは設計により固有の特性を持っている。例えば、中央に比べ、像高７０％付近のＭＴＦが低いという特性のレンズの場合、像高７０％付近のＭＴＦがある範囲内に入るように調整すればよい。そうすれば中央はそれより高いＭＴＦが確保でき、最も低くなる位置でのＭＴＦの下限値も確保できる。
【００３３】
また、ＣＣＤ２５の面とレンズ２４の距離がどこにあっても、中央部のＭＴＦが常に高くなる特性であれば、像高７０％付近のＭＴＦをできるだけ高く調整すれば問題ないが、そうでない場合、例えば、両方の位置でＭＴＦがピークになる位置が異なっている場合は、像高７０％付近のＭＴＦを高く調整すると中央が逆に低くなってしまうことになる。そのような特性のレンズの場合は、上限値を設けて高くなり過ぎない調整が必要となる。なお、ここで像高７０％と書いたのは、あくまで例であって、位置はレンズの設計によって異なる。
【００３４】
図３に示すａは、本実施例の調整範囲である。調整にこのような上限値と下限値を設けることにより、調整を狭い範囲に収めることができ調整のバラツキを小さくすることができる。また、温度上昇時に部品の膨張で、ＣＣＤ２５の位置が変動することを考慮して、もっともピントの合う位置から意図的にずらして調整することも可能となる。
【実施例２】
【００３５】
図４に本発明の実施例２の調整範囲を示す。本実施例では、実施例１とは異なり、調整をＭＴＦ値自体ではなく、ＭＴＦ最大値に対する比率で行っている。
【００３６】
ＭＴＦの絶対値は、レンズ２４そのものや照明、ＣＣＤ２５、回路等の影響を受けるため、常に同じ値が出るわけではない。本実施例では、レンズ２４とＣＣＤ２５の距離を変化させたときにＭＴＦが最大になったときの値Ｘ１、Ｘ２・・・を記憶し、その後、最大値に対するＭＴＦ値の比率を表示させるようになっている。
【００３７】
調整作業者が最初にＣＣＤ２５を移動させてＭＴＦが最大になる位置になったところで装置はＭＴＦ値を記憶する。
【００３８】
また本実施例では、ＭＴＦ最大値に対する比率があらかじめ設定された上限値と下限値の間になるように調整する。本実施例での具体的な調整範囲は、
上限値：（Ｘ１÷Ｐ）×１００（％）
下限値：（Ｘ２÷Ｐ）×１００（％）
である。
【実施例３】
【００３９】
図５に本発明の実施例３を示す。本実施例では、原稿面の異なる位置に配置された複数の調整用チャート１０１を読み取ったうちの特定の中央部分のＭＴＦまたは、ＭＴＦ比率が定められた上限値と下限値の間になるように調整作業を行う。
【００４０】
レンズ２４の焦点は完全な平面になるのが理想であるが、実際には、設計、製造上の制約から、中央部と周辺部で焦点距離が異なる。例えば、中央部の焦点距離が周辺部より長い場合、中央部のＭＴＦが最大になる位置と、周辺部のＭＴＦが最大になる位置の中間がバランス的に最適となる。本実施例では、中央部のＭＴＦまたは、最大値に対するＭＴＦ比率をみながら、その値が定められた上限値と下限値の間になるように調整作業を行う。具体的には、図５に示す、ｂが調整範囲である。
【実施例４】
【００４１】
図５、図６により本発明の実施例４を示す。本実施例では、原稿面の異なる位置に配置された複数の調整用チャート１０１を読み取ったＭＴＦ値から、複数の箇所のＭＴＦから所定の個所のＭＴＦ調整範囲の上限値と下限値を算出する。
【００４２】
例えば、中央部と周辺部の焦点距離の差がレンズ２４によってばらついた場合、中央部での最適値が異なった値になるが、その場合、本実施例の調整装置では、複数の個所のＭＴＦから特定の一箇所（例えば中央部）での最適ＭＴＦ値を自動的に決定し、調整作業者はその値に従って調整する。図５、図６に示した、Ｓ、Ｔがレンズによる差である。この差が小さい場合は、中央と周辺の焦点距離の差が少ないレンズである。
【００４３】
本実施例では、中央と周辺のＭＴＦ差から、装置が最適な範囲を決定し、作業者はその範囲に従って調整作業を行えばよい。この方法では、レンズにバラツキが合っても、最適な調整範囲が得られるため、調整効率が良い。
【実施例５】
【００４４】
本発明の実施例５を説明する。本実施例は、カラー読取の場合である。カラー読取の場合、赤（Ｒ）、緑（Ｇ）及び青（Ｂ）の各ラインセンサからなる３ラインセンサで画像読取を行うのが一般的である。また、レンズもカラー読取用に色による収差の少ないものを設計して使用するが、ＲＧＢの特性を完全に揃えたものを作るのは困難で、非常に高価なものになってしまうため、色毎のＭＴＦ特性に差のあるものを使用せざると得ない場合が多い。
【００４５】
カラー読取時のＭＴＦ特性の例を図７に示す。この例では、色によってＭＴＦが最大値になる位置がずれている。色毎のＭＴＦのバランスをとるためには、各色のＭＴＦ値をみながら全ての色である値を超えるように調整することがよく行われているが、この方法では、調整作業者は多くの情報を確認しながら作業することになるため、調整効率が悪い。
【００４６】
そこで本実施例では、レンズの特性を考慮した上で、特定の色のＭＴＦ値が上限値と下限値の間に入るように調整する。本実施例では、Ｒ（赤）のＭＴＦ値が上限値と下限値の間に入るように調整する。ＲＧＢのずれ方は、レンズの設計に依存するので、ここに示したのは一例であり、他の色で調整するようにしてもよい。すなわち、この方法では、１色のＭＴＦ値を確認しながらの作業のため、調整作業効率が良い。
【実施例６】
【００４７】
本実施例は、カラー読取時の調整方法に、上述した実施例３の考え方を導入したものである。内容的には、図７と図５を組み合わせたものになる。
【００４８】
すなわち、レンズ特性を考慮した上で、特定の色の中央部のＭＴＦ値が上限値と下限値の間に入るように調整する。この方法では、ある色の中央部のＭＴＦ値だけを確認しながら作業すればよいため、調整作業効率が良い。
【実施例７】
【００４９】
本実施例は、カラー読取時の調整方法に、実施例４の考え方を導入したものである。内容的には、図７、図５、図６を組み合わせたものになる。
【００５０】
本実施例では、原稿面の異なる位置に配置された複数の調整用チャートを読み取ったある色の複数の箇所のＭＴＦから所定の個所のＭＴＦ調整範囲の上限値と下限値を算出する。例えば、中央部と周辺部の焦点距離の差がレンズによってばらついた場合、中央部での最適値が異なった値になるが、その場合、本実施例の調整装置では、複数の個所のＭＴＦから特定の一箇所（例えば中央部）での最適ＭＴＦ値を自動的に決定し、調整作業者はその値に従って調整する。この方法では、レンズにバラツキが合っても、最適な調整範囲が得られるため、調整効率が良い。
【００５１】
以上説明してきたように、本発明では、調整作業時に１箇所の値だけを注目していれば良いので作業効率がよく、上限値と下限値の間を小さく設定すると、非常に狭い範囲に調整することが可能となる。また、レンズ、ＣＣＤ等のバラツキによるＭＴＦ絶対値のバラツキに対応できるし、場所による焦点距離の差に対して最適な調整が可能となる。さらに、レンズにバラツキが合っても、最適な調整範囲が得られるため、調整効率が良い。またカラー読取用のレンズに対して、効率のよい調整作業が可能となるし、狭い範囲に調整することが可能となる。また、レンズのバラツキに対応できる。
【図面の簡単な説明】
【００５２】
【図１】本発明の実施対象の一例であるデジタル複写機の概略構成例を示す正面断面図
【図２】ピント調整装置を示す図
【図３】具体的な調整方法を示す図
【図４】実施例２の調整範囲を示す図
【図５】実施例３、４を示す図
【図６】実施例４を示す図
【図７】カラー読取時のＭＴＦ特性の例を示す図
【符号の説明】
【００５３】
１  スキャナ（原稿読取装置）
２  プリンタエンジン
３  感光体
４  帯電装置
５  露光装置
６  現像装置
７  転写装置
８  クリーニング装置
９  給紙装置
１０  転写紙
１１  定着装置
１２  排紙トレイ
２１  コンタクトガラス
２２  ＡＤＦ（原稿搬送機構）
２３  読取光学系
２４  結像レンズ
２５  ＣＣＤ（撮像部材）
２６  搬送経路
２７  原稿テーブル
２８  搬送ローラ
２９  排紙トレイ
１０１  調整用チャート
【図１】
0004614090.tif 000002
【図２】
0004614090.tif 000003
【図３】
0004614090.tif 000004
【図４】
0004614090.tif 000005
【図５】
0004614090.tif 000006
【図６】
0004614090.tif 000007
【図７】
0004614090.tif 000008